(57)【要約】【課題】  ＲＦＩＤ読み取り手段を排紙トレイの付近に配置することにより、印刷物が排紙トレイに長い時間残されたままの状態を検知し、これを利用者に通知することができる印刷システムなどを提供する。【解決手段】  印刷を行う際、ＲＦＩＤタグ読み書き部４０が、当該印刷のために供給された印刷用紙のＲＦＩＤタグに、当該印刷の要求者である利用者のユーザー識別情報を含む文書情報をＲＦＩＤタグ情報として書き込んでおき、印刷終了後、ＲＦＩＤ読み取り部７８が、排紙トレイ７９に排紙された印刷物の有無を監視し、その印刷物の排紙から所定時間が経過した後も前記印刷物を検出した場合、ＣＰＵが、印刷完了を示す通知または印刷物の取り出しを要求する通知を前記ユーザー識別情報の利用者宛に出す構成にした。【選択図】        図１
2006103283.tif 000002
【特許請求の範囲】
【請求項１】
印刷用紙に対してＲＦＩＤタグ情報を書き込むＲＦＩＤ書き込み手段を備えた印刷システムにおいて、印刷要求を出させて印刷を行う際、当該印刷を行なうかまたは行なった印刷用紙のＲＦＩＤタグに、前記ＲＦＩＤタグ情報として前記印刷要求を出させた利用者のユーザー識別情報を含む文書情報を書き込むことを特徴とする印刷システム。
【請求項２】
請求項１記載の印刷システムにおいて、排紙トレイに排紙された印刷物の有無を監視するＲＦＩＤ読み取り手段を備え、その印刷物の排紙から所定時間が経過した後も前記ＲＦＩＤ読み取り手段により前記印刷物が検出された場合、印刷が完了していることを示す通知または印刷物の取り出しを要求する通知を前記ユーザー識別情報の利用者宛に出すことを特徴とする印刷システム。
【請求項３】
請求項１または請求項２記載の印刷システムにおいて、前記排紙トレイからの印刷物取り出し時に利用者の携帯品に付けられたＲＦＩＤタグ情報を読み取るＲＦＩＤ読み取り手段を備え、そのＲＦＩＤ読み取り手段により読み取られたＲＦＩＤタグ情報中のユーザー識別情報を取得し、そのユーザー識別情報を、排紙トレイに積載されている印刷物にＲＦＩＤタグ情報として書き込まれているユーザー識別情報と照合することにより、対応する印刷物の有無を表示することを特徴とする印刷システム。
【請求項４】
請求項３記載の印刷システムにおいて、前記ユーザー識別情報の照合直後に取り出された印刷物を監視することにより、照合時に利用者の携帯品から取得されたユーザー識別情報と対応しない印刷物が取り出されたことを検知した場合、取り出された印刷物のユーザー識別情報により示された利用者宛に印刷物が他人に回収されたことを通知するとともに、誤った取り出しを行なったユーザー識別情報の利用者宛にその旨を通知することを特徴とする印刷システム。
【請求項５】
請求項１または請求項２記載の印刷システムにおいて、前記携帯品からのユーザー識別情報の検知なしに前記印刷物が取り出された場合、取り出された印刷物のユーザー識別情報の利用者宛に印刷物が取り出されたことを通知することを特徴とする印刷システム。
【請求項６】
請求項４または請求項５記載の印刷システムにおいて、印刷物取り出しの際に不整合の生じた印刷物とユーザー識別情報の組み合わせを履歴情報として残すことを特徴とする印刷システム。
【請求項７】
請求項４または請求項５記載の印刷システムにおいて、印刷物取り出しの際に印刷物とユーザー識別情報の組み合わせに不整合が生じた場合、警報を発生することを特徴とする印刷システム。
【請求項８】
請求項７記載の印刷システムにおいて、前記警報が音による警報、振動による警報、または光による警報であることを特徴とする印刷システム。
【発明の詳細な説明】
【技術分野】
【０００１】
本発明は、プリンタ、複写機、ファクシミリ装置など画像形成（印刷）手段を有する装置を用いた印刷システムに係り、特に、印刷用紙がＲＦＩＤタグ付きであり、前記印刷システムがＲＦＩＤタグ情報を書き込むＲＦＩＤ書き込み手段およびＲＦＩＤタグ情報を読み取るＲＦＩＤ読み取り手段を備え、ＲＦＩＤタグ情報を用いてセキュリティ管理を行うことができるセキュリティ管理技術に関する。
【背景技術】
【０００２】
ＲＦＩＤ（Radio Frequency IDentification）タグを人や物などに付け、そのＲＦＩＤタグとの間でタグ情報を読み書きできるＲＦＩＤシステムでは、その読み書きを無線で行うので、非接触で人や物の個々の情報を識別することができる。
図８〜図１０に示したように、ＲＦＩＤシステムは、個体管理の基となる、ＲＦＩＤタグチップ８２および無線通信の中継をする超小型のアンテナ８３から成るＲＦＩＤタグ部８１と、ＲＦＩＤタグ情報の読み取りと書き込みを行うＲＦＩＤリーダ・ライタ（ＲＦＩＤタグ読み書き部）８８から構成されている。ＲＦＩＤタグチップ８２は記憶部（メモリ）８５と通信回路を含む制御回路８６と電源整流部８７から成るＣＭＯＳチップである。アンテナ８３は特殊な線材からできており、リーダ・ライタ８８と組み合わせて効率的な通信ができるように設計されている。
ＲＦＩＤリーダ・ライタ８８は、送受信制御回路（ＲＦモジュール）を含む制御回路８９とアンテナ９０から成り、アンテナ９０を介して、システムコントローラから渡されたデータをＩＤタグ部８１に書き込んだり、ＩＤタグ部８１から得たデータをシステムコントローラに渡したりする。
ＲＦＩＤシステムは、こうした基本アイテムと、その他さまざまなアクセサリを組み合わせることによって、それぞれの現場にあったシステム構築を行うことができる。以下、特許文献に示された関連する従来技術ついて説明する。
まず、特許文献１だが、この従来技術では、複写機に取り付けられたＲＦＩＤリーダ・ライタが印刷対象の機密文書からそのＲＦＩＤタグ情報を読み取るとともに、複写機の前にいる利用者の携帯機器からもＲＦＩＤアクセス権を取得し、そのＲＦＩＤアクセス権が機密文書のＲＦＩＤタグ情報の示す機密レベルよりも高い場合にのみその機密文書の印刷を行えるようにする。
また、特許文献２に示された従来技術では、書類に設けられているＲＦＩＤタグ部からその書類に付された用紙識別子を読み取り、その識別子を用いて書類を用紙レベルで管理する。
【特許文献１】特開２００１−１６０１１７公報
【特許文献２】特開２００２−１２０４７５公報
【発明の開示】
【発明が解決しようとする課題】
【０００３】
しかしながら、従来技術では、複写機など画像形成（印刷）を行う装置を用いて、出力した印刷文書にＲＦＩＤタグ情報としてユーザー識別情報を含む文書情報を書き込むことができなかった。
また、ＲＦＩＤリーダ・ライタが印刷済みの印刷物を積載する排紙トレイの付近に配置されていないので、印刷物が排紙トレイに長い時間残されたままの状態を検知し、これを利用者に通知することができなかったし、印刷物を取り出しにきた利用者の携帯するＲＦＩＤシステムと通信できず、そのため、不正な取り出しが行われた場合に本来の利用者に対する対応ができなかった。
本発明の目的は、このような従来技術の問題を解決できる印刷システムを提供することにある。
【課題を解決するための手段】
【０００４】
前記した課題を解決するために、請求項１記載の発明では、印刷用紙に対してＲＦＩＤタグ情報を書き込むＲＦＩＤ書き込み手段を備えた印刷システムにおいて、印刷要求を出させて印刷を行う際、当該印刷を行なうかまたは行なった印刷用紙のＲＦＩＤタグに、前記ＲＦＩＤタグ情報として前記印刷要求を出させた利用者のユーザー識別情報を含む文書情報を書き込む構成にした。
また、請求項２記載の発明では、請求項１記載の発明において、排紙トレイに排紙された印刷物の有無を監視するＲＦＩＤ読み取り手段を備え、その印刷物の排紙から所定時間が経過した後も前記ＲＦＩＤ読み取り手段により前記印刷物が検出された場合、印刷が完了していることを示す通知または印刷物の取り出しを要求する通知を前記ユーザー識別情報の利用者宛に出す構成にした。
また、請求項３記載の発明では、請求項１または請求項２記載の発明において、前記排紙トレイからの印刷物取り出し時に利用者の携帯品に付けられたＲＦＩＤタグ情報を読み取るＲＦＩＤ読み取り手段を備え、そのＲＦＩＤ読み取り手段により読み取られたＲＦＩＤタグ情報中のユーザー識別情報を取得し、そのユーザー識別情報を、排紙トレイに積載されている印刷物にＲＦＩＤタグ情報として書き込まれているユーザー識別情報と照合することにより、対応する印刷物の有無を表示させる構成にした。
【０００５】
また、請求項４記載の発明では、請求項３記載の発明において、ユーザー識別情報の照合直後に取り出された印刷物を監視することにより、照合時に利用者の携帯品から取得されたユーザー識別情報と対応しない印刷物が取り出されたことを検知した場合、取り出された印刷物のユーザー識別情報により示された利用者宛に印刷物が他人に回収されたことを通知するとともに、誤った取り出しを行なったユーザー識別情報の利用者宛にその旨を通知する構成にした。
また、請求項５記載の発明では、請求項１または請求項２記載の発明において、前記携帯品からのユーザー識別情報の検知なしに前記印刷物が取り出された場合、取り出された印刷物のユーザー識別情報の利用者宛に印刷物が取り出されたことを通知する構成にした。
また、請求項６記載の発明では、請求項４または請求項５記載の発明において、印刷物取り出しの際に不整合の生じた印刷物とユーザー識別情報の組み合わせを履歴情報として残す構成にした。
また、請求項７記載の発明では、請求項４または請求項５記載の発明において、印刷物取り出しの際に印刷物とユーザー識別情報の組み合わせに不整合が生じた場合、警報を発生させる構成にした。
また、請求項８記載の発明では、請求項７記載の発明において、前記警報が音による警報、振動による警報、または光による警報である構成にした。
【発明の効果】
【０００６】
本発明によれば、請求項１記載の発明では、印刷を行う際、当該印刷を行なうかまたは行なった印刷用紙のＲＦＩＤタグに、ＲＦＩＤタグ情報として印刷要求を出させた利用者のユーザー識別情報を含む文書情報を書き込むことができるので、例えば、印刷物が排紙トレイに長い時間残されたままの状態を検知し、これをユーザー識別情報により特定される利用者に通知したりすることができる。
また、請求項２記載の発明では、請求項１記載の発明において、印刷物の排紙から所定時間が経過した後もその印刷物が検出された場合、印刷が完了していることを示す通知または印刷物の取り出しを要求する通知をユーザー識別情報の利用者宛に出すことができるので、印刷物の取り出しが促進され、したがって、排紙トレイが長時間占有されないで済むし、印刷物の紛失防止や機密保持も可能になる。
また、請求項３記載の発明では、請求項１または請求項２記載の発明において、利用者が印刷物を排紙トレイから取り出す際に、利用者の携帯品に付けられたＲＦＩＤタグ部からユーザー識別情報を取得し、そのユーザー識別情報を、排紙トレイに積載されている印刷物にＲＦＩＤタグ情報として書き込まれているユーザー識別情報と照合することにより、対応する印刷物の有無を表示できるので、排紙トレイに積載された印刷物のセキュリティを確保できる。
また、請求項４記載の発明では、請求項３記載の発明において、ユーザー識別情報の照合直後に取り出された印刷物を監視することにより、照合時に利用者の携帯品から取得されたユーザー識別情報と対応しない印刷物が取り出されたことを検知した場合、取り出された印刷物のユーザー識別情報により示された利用者宛に印刷物が他人に回収されたことを通知するとともに、誤った取り出しを行なったユーザー識別情報の利用者宛にその旨を通知することができるので、排紙トレイに積載された印刷物のセキュリティをさらに効果的に確保できる。
また、請求項５記載の発明では、請求項１または請求項２記載の発明において、携帯品からのユーザー識別情報の検知なしに印刷物が取り出された場合、取り出された印刷物のユーザー識別情報の利用者宛に印刷物が取り出されたことを通知できるので、請求項４記載の発明と同様に、排紙トレイに積載された印刷物のセキュリティをさらに効果的に確保できる。
また、請求項６記載の発明では、請求項４または請求項５記載の発明において、印刷物取り出しの際に不整合の生じた印刷物とユーザー識別情報の組み合わせを履歴情報として残すことができるので、行方不明の印刷物を後で捜索する際などに役立つ。
また、請求項７記載の発明では、請求項４または請求項５記載の発明において、印刷物取り出しの際に印刷物とユーザー識別情報の組み合わせに不整合が生じた場合、警報を発生できるので、不正取り出しを周囲に知らせることができ、したがって、不正取り出しを防止できる。
また、請求項８記載の発明では、請求項７記載の発明において、前記警報が音による警報、振動による警報、または光による警報であるので、周囲の人たちは容易に不正取り出しに気づくことができ、したがって、より効果的に不正取り出しを防止できる。
【発明を実施するための最良の形態】
【０００７】
以下、図面により本発明の実施形態を詳細に説明する。但し、この実施形態に記載される構成要素、種類、組み合わせ、形状、その相対位置などは特定的な記載がない限りこの説明の範囲をそれのみに限定する主旨ではなく、単なる説明例に過ぎない。
この実施形態の画像形成（印刷）を行う装置（以下、画像形成装置と称す）は、原稿画像を複写する複写機能、通信回線を介して画像データを送受信するファクシミリ機能、および、外部インタフェース（Ｉ／Ｆ）を介してパーソナルコンピュータなど外部装置から供給される画像データに基づいて印刷するプリンタ機能を備えた複合型ディジタル複写装置（以下、複写装置と略称する）として構成される。
図１は、この複写装置の内部構造を概略的に示す断面図である。図１に示したように、この複写装置（この例では電子写真式ディジタル複写装置）は、画像データに基づいて画像を形成する画像形成手段として機能する画像形成部（プリンタ部）１、および原稿画像を読み取って画像データを生成する画像読み取り手段として機能する画像読み取り部（スキャナ部）２を備えている。また、画像読み取り部２の上部には、画像読み取り部２の原稿テーブル（原稿台）５２に対して開閉可能に形成された原稿搬送手段としての原稿自動給送装置３を備えている。この原稿自動給送装置３は、原稿Ｄを原稿テーブル５２に向けて１枚ずつ給送するとともに、原稿テーブル５２に載置された原稿Ｄを原稿テーブル５２に密着させる原稿押さえとしても機能する。
【０００８】
画像読み取り部２は、閉じた状態にある原稿自動給送装置３に対向しており、原稿Ｄがセットされる透明なガラスからなる原稿テーブル５２、および原稿テーブル５２の一端に配置され、原稿テーブル５２に原稿Ｄをセットすべき位置を示す原稿スケール５３を備えている。また、原稿テーブル５２の下方には、原稿テーブル５２に載置された原稿Ｄを照明する露光ランプ５４、その露光ランプ５４からの光ビームを原稿Ｄに集光させるための補助反射板５５、および原稿Ｄからの反射ビームを図中左方向に折り曲げる第１ミラー５６などが配置されている。露光ランプ５４、補助反射板５８、および第１ミラー５６は、第１キャリッジ５７に固定されており、第１キャリッジ５７の移動にともなって原稿テーブル５２と平行に移動可能に配置されている。なお、第１キャリッジ５７は、図示しない歯付きベルトなどを介して図示しないパルスモータの駆動力が伝達されて、原稿テーブル５２に沿って平行に移動する。
原稿テーブル５２の図中左方、つまり第１ミラー５６により反射された反射ビームが案内される方向には、第２キャリッジ５９が配設されている。第２キャリッジ５９には、第１ミラー５６により案内される原稿Ｄからの反射ビームを下方に折曲げる第２ミラー６０、および図中右方に折り曲げる第３ミラー６１が互いに直角に配置されている。第２キャリッジ５９は、第１キャリッジ５７を駆動する図示しない歯付きベルトなどにより第１キャリッジ５７に従動し、第１キャリッジ５７に対して１／２の速度で原稿テーブル５２に沿って平行に移動する。
【０００９】
第１キャリッジ５７の下方であって、第２キャリッジ５９を介して折返されたビームの光軸を含む面内には、第２キャリッジ５９からの反射ビームを所定の倍率で結像させる結像レンズ６２、および結像レンズ６２により集束性が与えられた反射ビームを電気信号つまり画像データに変換する複数のＣＣＤイメージセンサからなるラインセンサ６３が配置されている。なお、ここでは、ラインセンサ６３における複数のＣＣＤイメージセンサが配列されている方向を主走査方向とし、第１キャリッジ５７および第２キャリッジ５９が移動する方向を副走査方向とする。
一方、画像形成部１では、その画像メモリに記憶された画像データを用いて画像を形成し出力する。つまり、感光体ドラム１２を矢示方向に回転させると同時に、除電ランプ（ＱＬ）１６、転写前除電ランプ（ＰＴＬ）１７、転写チャージャ１８、分離チャージャ１９、イレーサ２０、およびクリーニングユニット２１を駆動して、感光体ドラム１２上に付着した残留トナーを取り除き、また、除電ランプ１６を通過した後の感光体ドラム１２の表面電位がほぼゼロになるようにする。
その後、感光体ドラム１２の表面を帯電チャージャ１３により一様に帯電すると共に、画像メモリに記憶された画像データを読み出して、それに応じて図示しない半導体レーザからレーザ光を射出させる。半導体レーザから射出されるレーザ光は、図示しないシリンダレンズによって集光されて回転走査するポリゴンミラー（レーザ光発生器）２２に入射し、その反射光が光学系（レンズ）２３およびミラー２４を介して感光体ドラム１２の表面を照射して静電潜像を形成する。
【００１０】
次いで、感光体ドラム１２上の非画像部（画像作成領域からはみ出した不要部分）の電荷をイレーサ２０によって除去した後、感光体ドラム１２上に形成された潜像を、黒現像ユニット１４またはカラー現像ユニット１５によりトナーを付着して可視像化する。なお、このとき、現像バイアス電位を変化させることにより、画像の濃淡を調整することができる。
他方、図示しないメインモータの駆動を選択的に取り出す給紙クラッチのオンにより呼び出しコロ２５および３個の給紙コロ２６のいずれかを駆動し、予め選択された給紙段にセットされている転写紙を停止中のレジストローラ対２７に向けて給紙させる。レジストローラ対２７の手前にはレジストセンサ２８が配設されており（そのレジストセンサ２８は例えば反射型フォトセンサである）、その対向位置に転写紙の先端が到達するとオン状態になる。それから、所定時間経過後に給紙クラッチをオフ状態に戻して、搬送中の転写紙を停止させる。なお、給紙クラッチのオフ・タイミングはレジストセンサ２８とレジストローラ対２７の間を転写紙が搬送される時間より長くとられている。したがって、その転写紙は先端がレジストローラ対２７に付き当てられ、先端側にたわみを生じてスキューなどを防止する状態で待機する。
その後、感光体ドラム１２上の画像先端に合わせたタイミングでレジストクラッチをオン状態にし、それによってレジストローラ対２７が回転駆動されることにより、待機中の転写紙を転写部へ向けて再搬送する。
こうして、転写紙が転写部に到達すると、転写チャージャ１８の作用によって感光体ドラム１２上のトナー像をその紙面上に転写し、続いて転写チャージャ１８と一体に保持されている分離チャージャ１９の作用によって紙面上の帯電電位を下げて転写紙と感光体ドラム１２との密着力を低下させた後、分離爪２９によってその転写紙を感光体面から分離する。
【００１１】
続いて、その転写紙を２個のローラで張装された搬送ベルト３０によって定着部へ送り、その定着ローラ３１によってトナー像を熱定着し、その後コピーモードとして片面モードが選択されていれば切替爪３２の上側を通して外部の排紙トレイ７９に排紙し、両面モードが選択されていれば切替爪３２の切り替えによって下側の再給紙用搬送経路３３ヘ送り込む。
また、排紙トレイ７９の付近にはＲＦＩＤタグ読み取り部７８が配置され、そのＲＦＩＤタグ読み取り部７８は印刷が完了して保持されている印刷物（印刷用紙）に付されているＲＦＩＤタグ部（図８、図９参照）との間で通信を行う。
また、この複写装置には、特定サイズの転写紙のみをまとめて収納できる通常の給紙カセットとして、それぞれ異なるサイズの転写紙をセットした３つの給紙カセット３４〜３６を着脱可能に備え、また、そのいずれの給紙カセットにも収納されていない転写紙、つまり不特定サイズの転写紙をセットできる手差しテーブル（手差しトレイ）３７も備えている。そして、各給紙カセット３４〜３６のいずれかに収納されている転写紙を用いてコピーする場合は、そのカセットサイズを図示しない操作パネル上のサイズ選択キーによって選択した後、コピースタートキーを押下することにより、その給紙カセットから転写紙の給紙が行なわれる。なお、給紙カセット３４〜３６のいずれか、または手差しテーブル３７から給紙された用紙がレジスト位置に到達する前位置に、ＲＦＩＤ読み書き部４０（図１０参照）を配置し、印刷用紙（転写紙）に付したＲＦＩＤタグ部との間で通信を行う。
【００１２】
図２は複写装置本体の前面上部に設けられている、様々な複写条件および複写動作を開始させる複写開始信号などを入力する操作パネル２００の平面図である。この操作パネル２００には、複写機能を実行するための複写モードを設定する複写ボタン２０２、ファクシミリ機能を実行するためのファクシミリモードを設定するＦＡＸボタン２０４、およびプリンタ機能を実行するためのプリンタモードを設定するプリンタボタン２０６が設けられている。
また、操作パネル２００には、複写モードにおいて複写枚数など数値を入力するためのテンキー２０８、複写の開始を指示するコピースタートボタン２１０、複写枚数を訂正するときや複写動作を停止させるときなどに使用されるクリア／ストップボタン２１２、選択したモードや設定した条件などをすべてクリアするオールクリアボタン２１４、複写倍率を設定するための倍率設定ボタン２１６などが設けられている。なお、コピースタートボタン２１０は、原稿給紙台６５にセットされた原稿の読み取り開始を指示するとともに、画像データに基づいた画像の形成を指示する入力手段として機能する。
さらに、操作パネル２００には、画像を形成したい用紙のサイズを選択設定するための用紙サイズボタン２１８、原稿テーブル５２に載置された原稿のサイズを検知して自動的に用紙サイズを設定する自動用紙選択ボタン２２０、原稿サイズを設定するための原稿サイズボタン２２２、用紙サイズボタン２１８によって設定された用紙サイズと検知した原稿サイズとに基づいて自動的に複写倍率を設定する自動倍率選択ボタン２２４、設定されたモードの内容や操作手順などの案内情報を表示させる操作ガイドボタン２２６、予熱状態を設定する予熱ボタン２２８、画像形成部１の動作中に割り込みを指示する割り込みボタン２３０などが設けられている。
また、この操作パネル２００のほぼ中央には、装置の状態、操作手順、および利用者に対して各種のメッセージを文字や図形で表示する報知手段として機能するタッチパネル式の液晶表示装置（ＬＣＤ）により構成された表示パネル２４０が設けられている。この表示パネル２４０は機能毎にその操作を画面に表示する。
このような構成で、基本操作では、通常の複写動作、つまり原稿画像を読み取って原稿画像に対応した画像である正像を印刷用紙上に形成する第１画像形成モードが実行される。編集操作では、特殊な複写動作、つまり原稿画像を読み取って原稿画像を副走査方向に反転させた画像である鏡像を印刷用紙上に形成する第２画像形成モードなどを設定することもできる。
また、操作パネル２００の内部には人体検知センサおよびＲＦＩＤタグ読み取り部が設けられていて、この複写装置を操作する利用者の検知・識別、および印刷済み用紙（印刷物）の回収者（取り出し者）の検知・識別を行う。
【００１３】
図３はこの複写装置の制御部の主として画像処理に係る部分の概略を示す構成ブロック図である。図示したように、ビデオ処理回路１０１、画像処理回路１０２、ビデオ書き込み処理回路１０３、ＬＤ制御部１０４、ＣＰＵ１０５、ＲＯＭ１０６、ＲＡＭ１０７、画像メモリ１０８、操作パネル制御部１０９、ＲＦＩＤインタフェース部１１０などを備えている。
ビデオ処理回路１０１は、画像読み取り部２により読み取った画像データ（図３に示したＣＣＤイメージセンサ１００から出力される信号）をＡ／Ｄ変換して黒オフセット補正、シェーディング補正、画素位置補正などを行う。画像処理回路１０２は、図４に示したように色分離回路１２０、ＭＴＦ補正回路１２１、変倍回路１２２、γ補正回路１２３、および画質処理回路１２４から成り、それらによってビデオ処理回路１０１から入力される画像データに対して画像処理を施す。この処理については、後述する。
ビデオ書き込み処理回路１０３は画像処理回路１０２から入力される画像データに応じて画像形成部１の制御を行う。ＬＤ制御部１０４は、ビデオ書き込み処理回路１０３からのビデオ信号に応じてレーザダイオード（ＬＤ）１１２の発光制御を行う。
また、ＣＰＵ１０５はＲＯＭ１０６内の制御プログラムに従ってこの複写装置全体を統括的に制御する。ＲＯＭ１０６は、ＣＰＵ１０５を動作させるための制御プログラムを含む各種固定データを格納した読み出し専用のメモリである。ＲＡＭ１０７は、ＣＰＵ１０５がデータ処理の際に一次的に使用する読み書き可能なメモリである。画像メモリ１０８は、画像処理回路１０２から送られてくる画像データを記憶する読み書き可能なメモリである。操作パネル制御部１０９は前記した操作パネル２００を制御する。
前記したような構成で、ＣＣＤイメージセンサ１００によって読み取られたＲ、Ｇ、Ｂの画像信号はビデオ処理回路１０１において適正なゲインを与えられ、Ａ／Ｄ変換され、黒オフセット補正、シェーディング補正、画素位置補正が行われ、所定のクロックに同期した８ビットのデジタルデータである赤画像データＲＤＴ０〜７、緑画像データＧＤＴ０〜７、青画像データＢＤＴ０〜７として出力される。
ここで、黒オフセット補正とはＣＣＤイメージセンサ１００の暗電流の黒レベルを画像データから減算する補正である。シェーディング補正とは、主走査方向の露光ランプ５４の光量むらやＣＣＤイメージセンサ１００の各色用ＣＣＤの画素間の感度差によるむらを除くため、原稿走査開始前に濃度の均一な白板を読み取ってそのデータを画素ごとに記憶し、原稿読み取り中の画像データを記憶した画素ごとの白板のデータで除算することにより補正を行うものである。画素位置補正とは、ＣＣＤイメージセンサ１００として３ラインのものを用いた場合、副走査方向の画素の位置ずれがあるため、それを補正するものである。
【００１４】
次に、画像処理回路１０２について図４を用いてさらに詳細に説明する。
画像処理回路１０２では、まず色分離回路１２０において、入力されたＲＧＢの画像データＲＤＴ０〜７、ＧＤＴ０〜７、ＢＤＴ０〜７から黒画像データＢＬＫＤＴ０〜７が分離され、さらに、ＭＴＦ補正回路１２１において、その画像データＢＬＫＤＴ０〜７に対してＭＴＦ補正を施し、変倍回路１２２において主走査方向の変倍を行い、γ補正回路１２３においてγ補正を行い、画質処理回路１２４においてディザや誤差拡散などの画質処理を行う。なお、ＭＴＦ補正とは光学的な周波数特性の劣化などを２次元の空間フィルタで補正するものである。こうして、各種の補正がなされた黒画像データＢＬＫＤＴ０〜７は図３に示した画像メモリ１０８に記憶される。
画像データＢＬＫＤＴ０〜７はビデオ書き込み処理回路１０３にも送られ、そこで画像形成部１の書き込み速度に対応できるビデオ信号に変換され、ＬＤ制御部１０４に入力され、その画像信号に応じてレーザダイオード１１２に与える電流のパルス幅や電流の量をコントロールし、図１に示した感光体ドラム１２上に光書き込みを行なって静電潜像を形成する。
なお、画像処理回路１０２はＣＰＵ１０５とアドレスバスおよびデータバスを共有しており、これを介して通信が行われる。ＣＰＵ１０５は画像形成部１や画像読み取り部２のモータコントロール、各種クラッチやソレノイドのコントロールも行なっている。
【００１５】
図１に戻って、原稿自動給送装置３は、自身の後端縁部が複写装置の上面後端縁部に図示しないヒンジ装置を介して取付けられたカバー６４を有し、必要に応じて原稿自動給送装置３全体を回動させることで、既に説明したように、原稿テーブル５２に対して開閉可能に形成されている。カバー６４の上面のやや左方向部位には、所定枚数、例えば５０枚の原稿Ｄを保持することが可能な原稿給紙台６５が設けられている。原稿給紙台６５の図中左方つまり原稿自動給送装置３の一端側には、原稿給紙台６５にセットされた原稿Ｄを順次１枚ずつ取り出すとともに、図中左端側から原稿テーブル５２の一端側に供給するためのピックアップローラ６７が配置されている。
原稿給紙台６５の所定の位置には、原稿給紙台６５に原稿Ｄがセットされたか否かを検知する原稿検知センサとしてエンプテイセンサ６６が配設されている。また、ピックアップローラ６７の原稿取り出し方向には、ピックアップローラ６７により取り出された原稿Ｄを原稿テーブル５２に向けて送出する給紙ローラ６８、および給紙ローラ６８により給送された原稿Ｄの先端を整位するアライニングローラ６９が配置されている。
【００１６】
アライニングローラ６９と給紙ローラ６８との間には、原稿Ｄのアライニングローラ６９への到達を検出するアライニングセンサ７０が配置されている。カバー６４の内側であって、原稿自動給送装置３が閉じられた状態で原稿テーブル５２と対向する位置には、ピックアップローラ６７、給紙ローラ６８およびアライニングローラ６９を介して原稿給紙台６５から搬送された原稿Ｄを原稿テーブル５２の所定の位置に搬送する搬送ベルト７１が配置されている。搬送ベルト７１は、図中左右一対に配置されたベルトローラ７２に掛け渡され、図示しないベルト駆動機構により図中右側および図中左側の両方向に向けて回転する。
また、原稿自動給送装置３の右側部位には、搬送ベルト７１により図中左側から図中右側に移動する原稿Ｄをカバー６４の外側に向けて送出する反転ローラ７３、その反転ローラ７３に原稿Ｄを押し付けるピンチローラ７４、反転ローラ７３とピンチローラ７４により搬送される原稿Ｄを、再び搬送ベルト７１へ戻すか所定の排出位置つまりカバー６４上に排出させるかを切り換えるフラッパ７５、そのフラッパ７５が排出側に切り換えられている場合に、反転ローラ７３により搬送された原稿Ｄを排出させる排紙ローラ７６、および反転ローラ７３の近傍における原稿のジャムを検知するジャムセンサ７７などが配置されている。
また、原稿自動給送装置３内の原稿搬送経路上にはＲＦＩＤタグ読み取り部８０が配置され、原稿搬送中に原稿用紙に付したＲＦＩＤタグとの間で通信を行う。
以下、これまで説明してきた実施形態の複写装置を用いた本発明の各実施例を説明する。なお、この複写装置はネットワークに接続されていて、パーソナルコンピュータなど外部装置から端末装置として用いることができる。
【実施例１】
【００１７】
図５に、実施例１の動作フローを示す。以下、図５に従ってこの実施例の動作フローを説明する。なお、この実施例では、請求項１記載のＲＦＩＤ書き込み手段がＲＦＩＤタグ読み書き部４０により実現される。
まず、前記した実施形態の複写装置に電源を投入する（Ｓ１）。これにより、ＲＯＭ１０６に記憶されているプログラムに従い、ＣＰＵ１０５が初期化（初期設定など）を行い（Ｓ２）、その初期設定のモードで印刷要求の発生を待つ待機状態となる（Ｓ３→Ｓ４でＮＯ→Ｓ３）。そして、この状態にあるとき、利用者が外部装置から印刷要求を行うと（Ｓ４でＹＥＳ）、ＣＰＵ１０５は印刷動作開始にあたり原稿サイズや変倍率に合わせて給紙カセット３４〜３７のいずれかから印刷用紙を給紙させる（Ｓ５）。なお、原稿をこの複写装置の原稿給紙台６５に載せて利用者が操作パネル２００から印刷要求を行なってもよい。
こうして、給紙された印刷用紙がレジスト位置の直前の位置に達すると、そこに設置されたＲＦＩＤタグ読み書き部４０は給紙用紙に付加されているＲＦＩＤタグ部と通信するためのポーリングを開始する（Ｓ６）。そして、ＲＦＩＤタグ部とのポーリング・通信に成功すると（Ｓ７でＹＥＳ）、印刷用紙に付加されているＲＦＩＤタグ部に利用者のユーザー識別情報を含む文書情報を書き込む（Ｓ８）。続いて、通常の複写動作を行い（Ｓ９）、最後に操作パネル２００上の表示パネル２４０に印刷終了を表示し（Ｓ１０）、一連の動作を終了する。
それに対して、ＲＦＩＤタグ部との通信に失敗した場合は（Ｓ７でＮＯ）、給紙された印刷用紙にＲＦＩＤタグ部が付加されていないと判断し、利用者に対して警告を通知し（Ｓ１１）、印刷を終了する。
このように、この実施例によれば、複写装置を用いて出力した印刷文書にＲＦＩＤタグ情報としてユーザー識別情報を含む文書情報を書き込むことができるので、例えば排紙トレイに積載された印刷物からＲＦＩＤ読み取り手段によりユーザー識別情報を検出して、適切な対応を取ることができる。
【実施例２】
【００１８】
図６に、実施例２の動作フローを示す。この実施例では、実施例１に示した動作フローに従って印刷が完了し、排紙トレイ７９に積載されているＲＦＩＤタグ付きの印刷物の有無を監視する。排紙トレイ７９の付近にＲＦＩＤタグ部と通信するための請求項２記載のＲＦＩＤ読み取り手段としてＲＦＩＤタグ読み取り部７８を設置することで実現するのである。以下、図６に従ってこの実施例の動作フローを説明する。
まず、排紙トレイ７９上の印刷物の存在を確認するに際して、ＣＰＵ１０５はこの印刷物の持つＲＦＩＤタグ部と通信するためのポーリングを行わせ（Ｓ２１）、通信が成功した場合（Ｓ２２でＹＥＳ）、ＲＦＩＤ付きの印刷物が排紙トレイ７９に残っていると判断し、この放置時間を計測する（Ｓ２３）。そして、所定時間経過しても残っているならば、ＣＰＵ１０５はそのＲＦＩＤタグ部に書き込まれているユーザー識別情報を取得し、そのユーザー識別情報の利用者に対して、印刷が完了しているから印刷物を取り出すように求める通知を例えば電子メールで行う（Ｓ２４）。
このように、この実施例によれば、印刷済みの印刷用紙が排紙トレイに所定時間以上残っていた場合、当該利用者に対して、印刷物を取り出すように求める通知を出せるので、排紙トレイが長時間占有されないで済むし、印刷物の紛失防止や機密保持も可能になる。
【実施例３】
【００１９】
図７に、実施例３の動作フローを示す。この実施例では、実施例１または実施例２の動作フローに続く排紙トレイ７９からの印刷物取り出し時に、利用者の携帯する社員証などに付加されているＲＦＩＤタグ情報を検出することにより排紙トレイ７９に積載されている印刷物にＲＦＩＤタグ情報として書き込まれているユーザー識別情報と照合する。操作パネル２００内またはその近傍にＲＦＩＤタグ読み取り部を設置することで請求項３記載のＲＦＩＤ読み取り手段を実現するのである。以下、図７に従ってこの実施例の動作フローを説明する。
まず、排紙トレイ７９上の印刷物の存在を確認するに際して、ＣＰＵ１０５はＲＦＩＤタグ読み取り部７８にこの印刷物の持つＲＦＩＤタグ部と通信するためのポーリングを行わせ（Ｓ３１）、通信が成功した場合（Ｓ３２でＹＥＳ）、排紙トレイ７９に残っている印刷物のＲＦＩＤ情報タグ情報を取得するとともに、操作パネル２００内のＲＦＩＤタグ読み取り部が利用者の携帯する社員証などに付加されているＲＦＩＤタグ情報を検出する。そして、両方のＲＦＩＤタグ情報のそれぞれから得た２つのユーザー識別情報の照合を行う（Ｓ３３）。さらに、ＣＰＵ１０５はその照合結果に従って表示パネル２４０に該当する印刷物の有無を表示する（Ｓ３４）。
このように、この実施例によれば、前記した２つのユーザー識別情報を照合できるので、排紙トレイに積載された印刷物のセキュリティを確保できる。
【実施例４】
【００２０】
この実施例では、利用者が本人のユーザー識別情報と対応しない印刷物を排紙トレイ７９から取り出した場合、ＣＰＵ１０５は、取り出された印刷物の本来の利用者に対しては印刷物が他人に取り出されたことを、また、誤った取り出しを行なった利用者に対してはその旨を電子メールなどで通知する。なお、誤った取り出しは、実施例３のステップＳ３３において照合が不一致にもかかわらず、その直後、ＲＦＩＤタグ読み取り部７８による排紙トレイ７９内の印刷物の持つＲＦＩＤタグ部との通信が不成功になったことを以って判断する。
こうして、この実施例によれば、誤った印刷物取り出しに対して適切な対応が取れる。
【実施例５】
【００２１】
この実施例では、実施例３において、ユーザー識別情報を含むＲＦＩＤタグ付き携帯物を携帯していない人物が印刷物を取り出した場合、取り出された印刷物の本来の利用者に対して印刷物が他人により取り出されたことを電子メールなどで通知する。社員証など携帯物に付加されているＲＦＩＤタグ情報が検出されなかったにもかかわらず、ＲＦＩＤタグ読み取り部７８による排紙トレイ７９内の印刷物の持つＲＦＩＤタグ部との通信が不成功になったことを以ってＲＦＩＤタグ付き携帯物を携帯していない人物が印刷物を取り出したと判断するのである。
こうして、この実施例によれば、他人による不当な印刷物取り出しに対して適切な対応が取れる。
【実施例６】
【００２２】
この実施例では、実施例４または実施例５において、ＣＰＵ１０５から書き込み可能な不揮発性メモリを備え、印刷物取り出しの際に前記したような不整合が生じたとき、ＣＰＵ１０５は印刷物の文書情報とユーザー識別情報の組み合わせを履歴情報としてその不揮発性メモリに書き込む。
こうして、この実施例によれば、行方不明の印刷物を後で捜索する際などに役立つ。
【実施例７】
【００２３】
この実施例では、実施例４または実施例５において、操作パネル２００内またはその近傍に設けたスピーカまたはブザーとその駆動回路から成る音発生手段、同様に操作パネル２００に設けたＬＥＤまたはランプとその駆動回路から成る光発生手段、またはこの複写装置の付属物などを駆動させる振動手段を備え、印刷物取り出しの際に印刷物とユーザー識別情報の組み合わせに不整合が生じた場合、ＣＰＵ１０５は音発生手段により音を発生させるか、光発生手段により光を発生させるか、または振動手段により振動を発生させて周囲に知らせ、不正取り出しを防止する。
【図面の簡単な説明】
【００２４】
【図１】本発明の一実施形態を示す複写装置内部の概略断面図。
【図２】本発明の一実施形態を示す複写装置要部の平面図。
【図３】本発明の一実施形態を示す複写装置制御系要部の構成ブロック図。
【図４】本発明の一実施形態を示す複写装置制御系要部の詳細ブロック図。
【図５】本発明の第１の実施例を示す印刷システム要部の動作フロー図。
【図６】本発明の第２の実施例を示す印刷システム要部の動作フロー図。
【図７】本発明の第３の実施例を示す印刷システム要部の動作フロー図。
【図８】従来技術および本発明に係るＲＦＩＤタグ付き印刷用紙の一例を示す説明図。
【図９】従来技術および本発明のＲＦＩＤタグ部の一例を示す構成図。
【図１０】従来技術および本発明のＲＦＩＤリーダ・ライタ（ＲＦＩＤタグ読み書き部）を示す構成図。
【符号の説明】
【００２５】
１  画像形成部、２  画像読み取り部、３４〜３７  給紙カセット、４０  ＲＦＩＤタグ読み書き部、７８  ＲＦＩＤタグ読み取り部、７９  排紙トレイ、１０５  ＣＰＵ、２００  操作パネル、２４０  表示パネル
【図１】
2006103283.tif 000003
【図２】
2006103283.tif 000004
【図３】
2006103283.tif 000005
【図４】
2006103283.tif 000006
【図５】
2006103283.tif 000007
【図６】
2006103283.tif 000008
【図７】
2006103283.tif 000009
【図８】
2006103283.tif 000010
【図９】
2006103283.tif 000011
【図１０】
2006103283.tif 000012